(57)【要約】【課題】長時間の遊技に伴う疲労を軽減できると共に、メダルやコイン等の異物を挟み込んで回動操作体を固定したまま遊技するという不正行為を阻止できる弾球遊技機の発射ハンドルを提供する。【解決手段】遊技者が掌をフェースカバー９にサポートさせながら指先をリング部１０ｃに押し当てて回動操作体１０を回動操作すると、その回動角度に応じて遊技球の発射強度が調整される弾球遊技機の発射ハンドル７において、回動操作体１０のガイド筒部１０ｅに検知体１１を前後進可能に支持すると共に、この検知体１１の外周部をフェースカバー９の後部外周面とリング部１０ｃの前部内周面との間に存する隙間Ｓ２内に露出させ、コイン等の異物２０が隙間Ｓ２に挿入されたとき、その挿入力で検知体１１を後方へ移動させることにより、第２の発射停止スイッチ１４を動作させて遊技球の発射が停止するようにした。【選択図】図５
2009011601.tif 000002
【特許請求の範囲】
【請求項１】
遊技機に固定されて前方へ突出するベース体と、このベース体の前端部に固定された円椀状のフェースカバーと、これらベース体とフェースカバーとの間に存する環状空間内に回動可能に配設された回動操作体と、この回動操作体を回動方向の初期位置に付勢する戻しばねと、前記回動操作体の回動を検出する回動検出手段とを備え、前記回動検出手段の出力信号に基づいて遊技球の発射強度が調整される弾球遊技機の発射ハンドルにおいて、
前記回動操作体が、前記ベース体と前記フェースカバーの少なくとも一方に軸支される回転軸を突設した本体部と、この本体部の外周縁から前記環状空間を通って外方へ突出するリング部とを有し、前記リング部の内側に検知体を前後方向へ移動可能に配置すると共に、この検知体の後方への移動によって動作される遊技球の発射停止用スイッチを設け、前記検知体を前記フェースカバーの後部外周面と前記リング部の前部内周面との間の隙間内に露出させたことを特徴とする弾球遊技機の発射ハンドル。
【請求項２】
請求項１の記載において、前記本体部の中央に前後方向へ延びるガイド筒部を設け、このガイド筒部に前記検知体を前後進可能に支持したことを特徴とする弾球遊技機の発射ハンドル。
【発明の詳細な説明】
【技術分野】
【０００１】
本発明は、遊技盤の遊技領域に遊技球を打ち出す弾球遊技機の発射ハンドルに関するものである。
【背景技術】
【０００２】
パチンコ機に代表される弾球遊技機の発射ハンドルは、通常、弾球遊技機の前面枠下方に固定されて前方へ突出するベース体と、このベース体の前端部に固定された円椀状のフェースカバーと、これらベース体とフェースカバーとの間に回動可能に配置された回動操作体等を備えており、回動操作体はトーションばね等からなる戻しばねによって初期位置へ回動付勢されている。回動操作体は遊技者によって手動操作される可動側部材であり、この回動操作体の回動量をロータリボリューム等の検出素子で検出して、その出力信号に基づいて発射装置のモータが打撃槌の回転駆動力を制御することにより、遊技球が回動操作体の回動角度に応じた発射強度で打ち出される。また、回動操作体は合成樹脂材料の表面に良導電性のメッキ加工を施したものからなり、表面のメッキ部分はタッチ回路と電気的に接続されている。このタッチ回路は回動操作体に遊技者が接触しているか否かを判定するもので、遊技者が回動操作体に接触している時だけ発射装置のモータへ電力が供給されるようになっている。
【０００３】
このような発射ハンドルを備えた弾球遊技機においては、固定側部材であるフェースカバーの後方に可動側部材である回動操作体のリング部が延在しており、これらフェースカバーの後部外周囲とリング部の前部内周面との間に隙間ができるため、この隙間にメダルやコイン等の異物を挟み込んで回動操作体を固定しておけば、遊技者が回動操作体から手を離してタッチ回路をオフにしても、発射強度を再調整することなく回動操作体を最適発射角度に維持することが可能となる。したがって、このことが異物で固定した回動操作体に遊技者が手を触れるだけで遊技するという不正行為を許す要因となっていた。
【０００４】
そこで従来より、フェースカバーに相当する円椀状部分を回動操作体に一体形成すると共に、かかる回動操作体をベース体に対して前後方向へ移動可能となした弾球遊技機の発射ハンドルが提案されている（例えば、特許文献１参照）。このものは、可動側部材である回動操作体の前方に固定側部材が存在せず、これら部材間に異物を挟み込んで回動操作体を固定することができないため、遊技中の遊技者は必ず手で回動操作体を任意角度に保持していなければならず、異物で固定した回動操作体に遊技者が手を触れるだけで遊技するという不正行為を阻止することができる。
【特許文献１】特開２００２−２１００９６号公報
【発明の開示】
【発明が解決しようとする課題】
【０００５】
前述したように、特許文献１に開示された従来の発射ハンドルでは、回動操作体を異物で固定して遊技するという不正行為を阻止できるが、遊技者の掌をサポートできる固定側部材が回動操作体の前方に存在しないため、遊技者は任意角度に回動操作した回動操作体を掌で握った姿勢を維持する必要があり、長時間の遊技によって遊技者の手が著しく疲労してしまうという問題があった。
【０００６】
本発明は、このような従来技術の実情に鑑みてなされたもので、その目的は、長時間の遊技に伴う疲労を軽減できると共に、メダルやコイン等の異物を挟み込んで回動操作体を固定したまま遊技するという不正行為を阻止できる弾球遊技機の発射ハンドルを提供することにある。
【課題を解決するための手段】
【０００７】
上記の目的を達成するために、本発明は、遊技機に固定されて前方へ突出するベース体と、このベース体の前端部に固定された円椀状のフェースカバーと、これらベース体とフェースカバーとの間に存する環状空間内に回動可能に配設された回動操作体と、この回動操作体を回動方向の初期位置に付勢する戻しばねと、前記回動操作体の回動を検出する回動検出手段とを備え、前記回動検出手段の出力信号に基づいて遊技球の発射強度が調整される弾球遊技機の発射ハンドルにおいて、前記回動操作体が、前記ベース体と前記フェースカバーの少なくとも一方に軸支される回転軸を突設した本体部と、この本体部の外周縁から前記環状空間を通って外方へ突出するリング部とを有し、前記リング部の内側に検知体を前後方向へ移動可能に配置すると共に、この検知体の後方への移動によって動作される遊技球の発射停止用スイッチを設け、前記検知体を前記フェースカバーの後部外周面と前記リング部の前部内周面との間の隙間内に露出させる構成とした。
【０００８】
このように構成された弾球遊技機の発射ハンドルでは、可動側部材である回動操作体の前方に固定側部材であるフェースカバーが存在しており、遊技者は掌をフェースカバーにサポートさせた状態で回動操作体のリング部を回動操作することができるため、長時間の遊技に伴う疲労を軽減することができる。また、フェースカバーの後部外周面とリング部の前部内周面との隙間にメダルやコイン等の異物を挿入すると、この異物の挿入力で検知体が後方へ移動することにより、発射停止用スイッチが動作して遊技球の発射を停止させるため、異物を挟み込んで回動操作体を固定したまま遊技するという不正行為を阻止することができる。
【０００９】
上記の構成において、回動操作体の本体部の中央に前後方向へ延びるガイド筒部を設け、このガイド筒部に検知体を前後進可能に支持させると、異物の挿入によって検知体をスムーズに後方へ移動させることができて好ましい。
【発明の効果】
【００１０】
本発明による弾球遊技機の発射ハンドルは、可動側部材である回動操作体の前方に固定側部材であるフェースカバーが存在しており、遊技者は掌をフェースカバーにサポートさせた状態で回動操作体のリング部を回動操作することができるため、長時間の遊技に伴う疲労を軽減することができ、しかも、フェースカバーの後部外周面とリング部の前部内周面との隙間にメダルやコイン等の異物を挿入すると、検知体が後方へ移動して発射停止用スイッチを動作させるため、異物の挿入に伴って遊技球の発射が自動的に停止してしまい、異物を挟み込んで回動操作体を固定したまま遊技するという不正行為を阻止することができる。
【発明を実施するための最良の形態】
【００１１】
発明の実施の形態について図面を参照して説明すると、図１は本発明の実施形態例に係る発射ハンドルを備えた弾球遊技機の斜視図、図２は該発射ハンドルの非遊技状態を示す正面図、図３は図２のＡ−Ａ線に沿う断面図、図４は該発射ハンドルに異物を挟み込んだ状態を示す正面図、図５は図４のＢ−Ｂ線に沿う断面図、図６と図７は該発射ハンドルの部分断面図である。
【００１２】
図１に示すように、本実施形態例に係る弾球遊技機は、遊技場の島設備に設置される機枠１と、機枠１に扉状に開閉自在に取り付けられた前面枠２と、前面枠２に収容された遊技盤３と、前面枠２の前面に扉状に開閉自在に取り付けられたガラス枠４と、前面枠２の下側に配設された受皿５を有する前面ボード６と、前面ボード６に取り付けられた発射ハンドル７等を具備しており、この発射ハンドル７を用いて受皿５に貯留された遊技球が遊技盤３の遊技領域に向けて発射されるようになっている。
【００１３】
図２と図３に示すように、前記発射ハンドル７は、前面ボード６に取り付けられて前方へ突出するベース体８と、このベース体８の前端部に固定された円椀状のフェースカバー９と、これらベース体８とフェースカバー９との間に回動可能に配設された回動操作体１０と、この回動操作体１０の内部に前後方向へ移動可能に支持された検知体１１によって主に構成されており、遊技者の指先で手動操作される回動操作体１０の回動角度に応じて遊技球の発射強度が調整されるようになっている。
【００１４】
ベース体８は、前面ボード６から前方へ突出する筒状部８ａと、筒状部８ａの前端部から径方向外側へ突出する円形の基板部８ｂとを有しており、基板部８ｂの外周縁には前方へ突出する筒状突堤８ｃが形成されると共に、基板部８ｂの中央には軸受筒部８ｄが形成されている。基板部８ｂの前面側には第１の発射停止スイッチ１２が実装されており、この第１の発射停止スイッチ１２は筒状突堤８ｃから突出する操作レバー１３の押圧操作によって動作されるようになっている。また、基板部８ｂの前面側には本発明の発射停止用スイッチである第２の発射停止スイッチ１４が実装されており、後述するように、この第２の発射停止スイッチ１４は検知体１１の後方への移動によって動作されるようになっている。一方、基板部８ｂの背面側にはロータリボリューム１５が実装されており、このロータリボリューム１５の回転軸は基板部８ｂを貫通して前方へ突出している。ロータリボリューム１５は回動操作体１０の回動量を検出する回動検出手段であり、その検出信号に基づいて図示せぬ発射装置のモータが打撃槌の回転駆動力を制御することにより、前述したように遊技球の発射強度が調整される。なお、第１および第２の発射停止スイッチ１２，１４はいずれも動作状態になると発射停止信号を出力し、これら発射停止信号に基づいて発射装置のモータへの電力供給が遮断されることにより、回動操作体１０の回動操作に拘わらず遊技球の発射が停止するようになっている。
【００１５】
フェースカバー９の内面中央には後方へ突出するガイド筒９ａが形成されており、このフェースカバー９とベース体８とは図示せぬネジを用いに一体化されている。ただし、図６の部分断面図に示すように、フェースカバー９の後端面とベース体８の筒状突堤８ｃとの間には所定幅の環状空間Ｓ１が画成されており、この環状空間Ｓ１内に回動操作体１０が回動可能に配置されている。
【００１６】
回動操作体１０には、回転軸１０ａを有する本体部１０ｂや、本体部１０ｂの外周縁から前記環状空間Ｓ１を通って外方へ突出するリング部１０ｃ等が形成されており、リング部１０ｃの外周面には複数の指当部１０ｄが突設されている。図７の部分断面図に示すように、リング部１０ｃの内周面（Ｍ１）はフェースカバー９の後部外周面（Ｍ２）と筒状突堤８ｃの外周面（Ｍ３）とにそれぞれ対向しており、フェースカバー９の後部外周面（Ｍ２）とこの後部外周面（Ｍ２）よりも前方へ突出するリング部１０ｃの内周面（Ｍ１）との間には正面視円弧状の隙間Ｓ２（略環状の空間）が形成されている。本体部１０ｂの中央には前後方向へ延びるガイド筒部１０ｅが形成されており、このガイド筒部１０ｅの外側部位において、本体部１０ｂには略Ｃ字形状の貫通開口となる半円弧状の逃げ孔１０ｆとばね受け突起１０ｇとが形成されている。前述した第２の発射停止スイッチ１４は逃げ孔１０ｆと対向しており、ベース体８の基板部８ｂに突設された支柱８ｅは逃げ孔１０ｆを貫通して前方へ突出している。回動操作体１０の回転軸１０ａはフェースカバー９のガイド筒９ａに回転可能に支持されており、この回転軸１０ａには戻しばねであるトーションばね１６の巻回部が保持されている。トーションばね１６の巻回部から突出する一対の腕部は前述した支柱８ｅとばね受け突起１０ｇにそれぞれ掛止されており、回動操作体１０はこのトーションばね１６の弾発力によって回動方向の初期位置に付勢されている。
【００１７】
回動操作体１０の本体部１０ｂには伝達体１７がネジ止め等の固定手段を用いて一体化されており、この伝達体１７は回転軸１０ａの中心に沿って後方へ突出する軸部１７ａを有している。軸部１７ａはベース体８の軸受筒部８ｄに回転可能に支持されており、回動操作体１０はこれら回転軸１０ａと軸部１７ａを回転中心軸としてベース体８およびフェースカバー９に対して回動可能となっている。また、軸部１７ａの外周面にはギア部１７ｂが刻設されており、このギア部１７ｂにはロータリボリューム１５の回転軸に取り付けられた歯車１８が噛合している。これにより、回動操作体１０の回転が伝達体１７と歯車１８を介してロータリボリューム１５の回転軸に伝達される。なお、回動操作体１０は合成樹脂材料の表面に良導電性のメッキ加工を施したものからなり、このメッキ面に接触するコンデンサ１９が伝達体１７の内部に取り付けられている。このコンデンサ１９は図示せぬタッチ回路に接続されており、回動操作体１０の表面に遊技者が接触してコンデンサ１９の容量が変化すると、タッチ回路がコンデンサ１９の容量変化に基づいて前述した発射装置のモータへ電力供給するようになっている。
【００１８】
検知体１１は、円盤リング状の作動板１１ａと、作動板１１ａの中央内周縁から前方へ突出する筒状体１１ｂとを有しており、筒状体１１ｂは回動操作体１０のガイド筒部１０ｅに前後進可能に挿入されている。作動板１１ａの外周部（Ｍ４）は前述した隙間Ｓ２内に露出して該隙間Ｓ２を閉口するように配設されており、作動板１１ａの背面（Ｍ５）には逃げ孔１０ｆから突出する第２の発射停止スイッチ１４の操作部が当接している。図示省略されているが、第２の発射停止スイッチ１４にはその操作部を初期位置に戻す復帰ばねが内蔵されており、検知体１１は第２の発射停止スイッチ１４に内蔵された復帰ばねの弾発力によって前方へ付勢されている。なお、ベース体８の基板部８ｂと作動板１１ａとの間に別のばね部材を介設し、このばね部材の弾発力によって検知体１１を前方へ付勢することも可能であり、かかるばね部材と第２の発射停止スイッチ１４の復帰ばねの両方を併用するようにしても良い。
【００１９】
上述のごとく構成された弾球遊技機では、回動操作体１０が回動操作されていない非遊技状態において、図２と図３に示すように、回動操作体１０はトーションばね１６の弾発力によって回動方向の初期位置に維持されており、検知体１１は第２の発射停止スイッチ１４に内蔵された復帰ばねの弾発力によって前進位置に維持されている。そして、遊技者が掌でフェースカバー９を握りながら指先を指当部１０ｄに押し当てて回動操作体１０を図２の時計方向へ回動操作すると、タッチ回路が遊技者の接触を検知して発射装置のモータへ電力を供給すると共に、回動操作体１０が回転軸１０ａと伝達体１７の軸部１７ａを中心に回転するため、その回転が伝達体１７のギア部１７ｂと歯車１８の噛合部分を介してロータリボリューム１５の回転軸に伝達される。その結果、ロータリボリューム１５から回動操作体１０の回動量に相応した検出信号が出力され、この検出信号に基づいて発射装置のモータが制御されるため、受皿５に貯留された遊技球が回動操作体１０の回動量に応じた発射強度で遊技盤３の遊技領域に向けて発射される。また、かかる回動操作体１０の回動操作に伴ってトーションばね１６が蓄力されていき、回動操作体１０に対する回動操作力が除去されると、回動操作体１０はこのトーションばね１６の弾発力によって初期位置に自動復帰する。
【００２０】
なお、遊技中に例えば保留球が４個になったときに、遊技者が親指等で操作レバー１３を押圧操作すると、第１の発射停止スイッチ１２から発射装置に対して発射停止信号が出力され、回動操作体１０の回動操作に拘わらず遊技球の発射が一時的に停止される。
【００２１】
ここで、本実施形態例に係る発射ハンドル７においては、可動側部材である回動操作体１０の前方に固定側部材であるフェースカバー９が存在しており、遊技中に遊技者が掌をフェースカバー９にサポートさせた状態で回動操作体１０を回動操作することができるため、長時間の遊技に伴う遊技者の手の疲労を大幅に軽減することができる。また、フェースカバー９の後部外周面（Ｍ２）と回動操作体１０のリング部１０ｃの前部内周面（Ｍ１）との間に存する円弧状の隙間Ｓ２内に検知体１１の作動板１１ａが露出しているため、図４と図５に示すように、この隙間Ｓ２にメダルやコイン等の異物２０を挿入して回動操作体１０を最適発射角度に固定しようとすると、この異物２０の挿入力によって検知体１１が後方へ移動して第２の発射停止スイッチ１４がオン動作される。その結果、第２の発射停止スイッチ１４から発射装置に対して発射停止信号が出力されるため、回動操作体１０が任意角度に回動しているのにも拘わらず遊技球の発射が停止してしまい、異物２０によって回動操作体１０を固定したまま遊技球を発射させることが不可能となる。したがって、遊技者は指先で回動操作体１０を回動操作して遊技しなければならず、回動操作体１０を異物２０で固定した状態で遊技するという不正行為を阻止することができる。
【００２２】
また、本実施形態例に係る発射ハンドル７では、回動操作体１０の本体部１０ｂの中央には前後方向へ延びるガイド筒部１０ｅを設け、このガイド筒部１０ｅに検知体１１の筒状体１１ｂを摺動自在に挿入することにより、検知体１１を回動操作体１０に前後進可能に支持させているため、異物２０の挿入によって検知体１１をスムーズに後方へ移動させることができる。ただし、検知体１１をベース体８またはフェースカバー９に前後進可能に支持させることも可能である。
【図面の簡単な説明】
【００２３】
【図１】本発明の実施形態例に係る発射ハンドルを備えた弾球遊技機の斜視図である。
【図２】該発射ハンドルの非遊技状態を示す正面図である。
【図３】図２のＡ−Ａ線に沿う断面図である。
【図４】該発射ハンドルに異物を挟み込んだ状態を示す正面図である。
【図５】図４のＢ−Ｂ線に沿う断面図である。
【図６】該発射ハンドルの部分断面図である。
【図７】該発射ハンドルの部分断面図である。
【符号の説明】
【００２４】
６  前面ボード
７  発射ハンドル
８  ベース体
８ａ  筒状部
８ｂ  基板部
８ｃ  筒状突堤
８ｄ  軸受筒部
９  フェースカバー
９ａ  ガイド筒
１０  回動操作体
１０ａ  回転軸回転軸
１０ｂ  本体部
１０ｃ  リング部
１０ｄ  指当部
１０ｅ  ガイド筒部
１０ｆ  逃げ孔
１０ｇ  ばね受け突起
１１  検知体
１１ａ  作動板
１１ｂ  筒状体
１２  第１の発射停止スイッチ
１４  第２の発射停止スイッチ（発射停止用スイッチ）
１５  ロータリボリューム（回動検出手段）
１６  トーションばね（戻しばね）
１７  伝達体
１７ａ  軸部回転軸
１７ｂ  ギア部
１８  歯車
２０  異物
Ｓ１  環状空間
Ｓ２  隙間
【図１】
2009011601.tif 000003
【図２】
2009011601.tif 000004
【図３】
2009011601.tif 000005
【図４】
2009011601.tif 000006
【図５】
2009011601.tif 000007
【図６】
2009011601.tif 000008
【図７】
2009011601.tif 000009